(57)【特許請求の範囲】
【請求項１】
コンピュータが、
通信ネットワーク内の複数の装置のうち第１の装置を示す第１のシンボルを表示し、
前記第１の装置が有する複数のポート群のうち特定のポート群を表示する指示を受け付け、
前記第１のシンボルに隣接する位置に、前記特定のポート群に含まれる第１のポートを示す第２のシンボルを表示するとともに、前記第１のポートと前記複数の装置のうち第２の装置との間の接続関係を示す線分を表示する、
ことを特徴とする表示方法。
【請求項２】
前記線分は、前記第２のシンボルと前記第１のポートの接続先を示す第３のシンボルとを結び、
前記コンピュータは、前記複数のポート群のうち前記特定のポート群以外の他のポート群に含まれる第２のポートと、前記第２のポートの接続先との間の接続関係を示す線分として、前記複数のポート群に共通する共通シンボルと、前記第２のポートの前記接続先を示す第４のシンボルとを結ぶ線分を表示することを特徴とする請求項１記載の表示方法。
【請求項３】
前記コンピュータは、さらに前記他のポート群を表示する指示を受け付けた場合、前記第２のシンボルと、前記第２のシンボルと前記第３のシンボルとを結ぶ前記線分とを非表示にして、前記第２のポートを示す第５のシンボルを表示し、前記第５のシンボルと前記第４のシンボルとを結ぶ線分を表示するとともに、前記共通シンボルと前記第３のシンボルとを結ぶ線分を表示することを特徴とする請求項２記載の表示方法。
【請求項４】
通信ネットワーク内の複数の装置のうち第１の装置が有する複数のポート群の情報を記憶する記憶部と、
前記複数のポート群のうち特定のポート群を表示する指示を受け付け、前記第１の装置を示す第１のシンボルに隣接する位置に、前記特定のポート群に含まれる第１のポートを示す第２のシンボルを表示するとともに、前記第１のポートと前記複数の装置のうち第２の装置との間の接続関係を示す線分を表示する、表示データを生成する生成部と、
を備えることを特徴とする情報処理装置。
【請求項５】
通信ネットワーク内の複数の装置のうち第１の装置を示す第１のシンボルを表示し、
前記第１の装置が有する複数のポート群のうち特定のポート群を表示する指示を受け付け、
前記第１のシンボルに隣接する位置に、前記特定のポート群に含まれる第１のポートを示す第２のシンボルを表示するとともに、前記第１のポートと前記複数の装置のうち第２の装置との間の接続関係を示す線分を表示する、
処理をコンピュータに実行させる表示プログラム。
【請求項６】
コンピュータが、
通信ネットワーク内の複数の装置のうち第１の装置を示す第１のシンボルと、第２の装置を示す第２のシンボルとを表示し、
前記第１のシンボルを選択する指示を受け付け、
前記複数の装置のうち前記第１の装置に接続された第３の装置が前記第１の装置を拡張する装置であることを示す情報を記憶部が記憶している場合、前記第３の装置を表示する指示を受け付け、
前記第１のシンボルと共通するマークを有し前記第３の装置を示す第３のシンボルを表示する、
ことを特徴とする表示方法。
【請求項７】
前記コンピュータは、前記第１のシンボルと前記第３のシンボルとの間に、前記第１の装置と前記第３の装置とが接続されていることを示す線分を表示するとともに、前記第２の装置が前記第１の装置に接続されていることを示す情報を前記記憶部が記憶している場合、前記第１のシンボルと前記第２のシンボルとの間に、前記第１の装置と前記第２の装置とが接続されていることを示す線分を表示することを特徴とする請求項６記載の表示方法。
【請求項８】
通信ネットワーク内の複数の装置の情報を記憶する記憶部と、
前記複数の装置のうち第１の装置を示す第１のシンボルと、第２の装置を示す第２のシンボルとが表示されている状態で、前記第１のシンボルを選択する指示を受け付け、前記複数の装置のうち前記第１の装置に接続された第３の装置が前記第１の装置を拡張する装置であることを示す情報を前記記憶部が記憶している場合、前記第３の装置を表示する指示を受け付け、前記第１のシンボルと共通するマークを有し前記第３の装置を示す第３のシンボルを表示する表示データを生成する生成部と、
を備えることを特徴とする情報処理装置。
【請求項９】
通信ネットワーク内の複数の装置のうち第１の装置を示す第１のシンボルと、第２の装置を示す第２のシンボルとを表示し、
前記第１のシンボルを選択する指示を受け付け、
前記複数の装置のうち前記第１の装置に接続された第３の装置が前記第１の装置を拡張する装置であることを示す情報を記憶部が記憶している場合、前記第３の装置を表示する指示を受け付け、
前記第１のシンボルと共通するマークを有し前記第３の装置を示す第３のシンボルを表示する、
処理をコンピュータに実行させる表示プログラム。
【発明の詳細な説明】
【技術分野】
【０００１】
本発明は、表示方法、情報処理装置、及び表示プログラムに関する。
【背景技術】
【０００２】
ネットワーク管理者が視覚的に把握しやすいネットワーク可視化手段を提供するネットワーク可視化装置が知られている（例えば、特許文献１を参照）。このネットワーク可視化装置は、トポロジ画面又は対地間トラヒック画面において指定された条件に合うフローの情報を表示装置に表示させる。また、ネットワーク可視化装置は、このような画面表示後、所定のフローが選択されたときには、各画面上に、その選択されたフローを強調表示する。
【０００３】
プラントエリアにおける無線通信機能を有するフィールド機器の設置場所に、各フィールド機器を表すアイコンと、各フィールド機器の信号送信経路を表す線分とを表示するフィールド無線監視表示装置も知られている（例えば、特許文献２を参照）。このフィールド無線監視表示装置は、集中配置されているフィールド機器をグループ化し、所定のアイコンで表示する。また、フィールド無線監視表示装置は、グループの内容を、フィールド機器のリスト、プラントの配線図、フィールド機器の配置画像、又はフィールド機器のアイコンのいずれかの形式で表示する。
【０００４】
音響システムの構成要素となる音響信号処理機能を表す要素オブジェクトを表示する音響システム設定装置も知られている（例えば、特許文献３を参照）。この音響システム設定装置は、要素オブジェクト上に表示される信号の入出力端子を表すポートオブジェクトの色を、予めポートの種類毎に設定されている色で表示する。また、音響システム設定装置は、ポートオブジェクト間を接続する結線については、接続対象のポートオブジェクトの色に対して、同じ色相で、かつ、接続対象のポートオブジェクトの彩度及び／又は明度を所定の変更量だけ変更した彩度及び／又は明度で表示する。
【先行技術文献】
【特許文献】
【０００５】
【特許文献１】特開２０１２−６０６０４号公報
【特許文献２】特開２０１３−１１４４７１号公報
【特許文献３】特開２００７−１９５０７８号公報
【発明の概要】
【発明が解決しようとする課題】
【０００６】
通信ネットワーク内の複数のスイッチの接続関係を表示するトポロジ表示において、拡張ポートを有するスイッチが含まれる場合、スイッチのポート及びポート間のリンクを画面上で表現することが困難になることがある。
【０００７】
なお、かかる問題は、複数のスイッチの接続関係を表示する場合に限らず、複数の他の装置の接続関係を表示する場合においても生ずるものである。
【０００８】
本発明は、通信ネットワーク内の複数の装置の接続関係を見やすく表示することを目的とする。
【課題を解決するための手段】
【０００９】
１つの態様では、コンピュータは、通信ネットワーク内の複数の装置のうち第１の装置を示す第１のシンボルを表示し、第１の装置が有する複数のポート群のうち特定のポート群を表示する指示を受け付ける。そして、コンピュータは、第１のシンボルに隣接する位置に、特定のポート群に含まれる第１のポートを示す第２のシンボルを表示するとともに、第１のポートと複数の装置のうち第２の装置との間の接続関係を示す線分を表示する。
【発明の効果】
【００１０】
１つの側面として、通信ネットワーク内の複数の装置の接続関係を見やすく表示することができる。
【図面の簡単な説明】
【００１１】
【図１】スイッチのポート表示を示す図である。
【図２】スイッチのリンク表示を示す図である。
【図３】情報処理装置の機能的構成図である。
【図４】シャーシ型の拡張装置を示す図である。
【図５】カード型の拡張装置を示す図である。
【図６】ユニット型の拡張装置を示す図である。
【図７Ａ】記憶部が記憶する情報を示す図（その１）である。
【図７Ｂ】記憶部が記憶する情報を示す図（その２）である。
【図７Ｃ】記憶部が記憶する情報を示す図（その３）である。
【図８Ａ】第１の表示処理におけるポート展開表示を示すフローチャート（その１）である。
【図８Ｂ】第１の表示処理におけるポート展開表示を示すフローチャート（その２）である。
【図９】第１の表示処理におけるスロット切り替えを示すフローチャートである。
【図１０】ポート展開表示を示す図である。
【図１１】ポート展開表示におけるリンク表示を示す図である。
【図１２Ａ】第２の表示処理におけるユニット展開表示を示すフローチャート（その１）である。
【図１２Ｂ】第２の表示処理におけるユニット展開表示を示すフローチャート（その２）である。
【図１３Ａ】第２の表示処理におけるユニット収束表示を示すフローチャート（その１）である。
【図１３Ｂ】第２の表示処理におけるユニット収束表示を示すフローチャート（その２）である。
【図１４】ユニット展開表示を示す図である。
【図１５】ユニット展開表示におけるポート展開表示を示す図である。
【図１６】情報処理装置のハードウェア構成図である。
【発明を実施するための形態】
【００１２】
以下、図面を参照しながら、実施形態を詳細に説明する。
図１は、拡張ポートを有するスイッチのポート表示の例を示している。図１の装置Ａは、例えば、Ｌ３スイッチであり、拡張ポートを付加することで、最大５００ポートまで拡張することが可能である。図１の例では、０１〜４１の４１個のポートが表示されている。縮小表示を行えば５００個のポートを表示することもできるが、非常に見辛い表示になる。
【００１３】
図２は、図１の装置Ａのリンク表示の例を示している。図２の例では、４１個のポートと接続先の他のスイッチのポートとの接続関係を示す４１本の線分が表示されている。縮小表示を行えば５００個のポートに対応する５００本の線分を表示することもできるが、乱雑で見辛い表示になる。
【００１４】
図３は、実施形態の情報処理装置の機能的構成例を示している。図３の情報処理装置３０１は、記憶部３１１及び生成部３１２を含み、第１の表示処理又は第２の表示処理を行う。
【００１５】
第１の表示処理を行う場合、記憶部３１１は、通信ネットワーク内の複数の装置のうち第１の装置が有する複数のポート群の情報を記憶する。生成部３１２は、複数のポート群のうち特定のポート群を表示する指示を受け付ける。
【００１６】
次に、生成部３１２は、第１の装置を示す第１のシンボルに隣接する位置に、特定のポート群に含まれる第１のポートを示す第２のシンボルを表示するとともに、第１のポートと第２の装置との間の接続関係を示す線分を表示する、表示データを生成する。
【００１７】
第２の表示処理を行う場合、記憶部３１１は、通信ネットワーク内の複数の装置の情報を記憶する。生成部３１２は、複数の装置のうち第１の装置を示す第１のシンボルと、第２の装置を示す第２のシンボルとが表示されている状態で、第１のシンボルを選択する指示を受け付ける。
【００１８】
次に、生成部３１２は、複数の装置のうち第１の装置に接続された第３の装置が第１の装置を拡張する装置であることを示す情報を記憶部３１１が記憶している場合、第３の装置を表示する指示を受け付ける。そして、生成部３１２は、第１のシンボルと共通するマークを有し第３の装置を示す第３のシンボルを表示する表示データを生成する。
【００１９】
第１の表示処理又は第２の表示処理において、生成部３１２は、生成した表示データを表示装置へ出力し、表示装置は、表示データが表すシンボル又は線分等を表示画面内に表示する。表示装置は、情報処理装置３０１内に設けられていてもよく、通信ネットワークを介して情報処理装置３０１と接続されたユーザ端末内に設けられていてもよい。
【００２０】
第１の表示処理又は第２の表示処理によれば、通信ネットワーク内の複数の装置の接続関係を見やすく表示することができる。
【００２１】
通信ネットワーク内の複数の装置の各々は、例えば、Ｌ２スイッチ、Ｌ３スイッチ、ルータ、ロードバランサ、ゲートウェイ、帯域制御装置等に対応する。第１の表示処理は、装置が有するポート群をシャーシ型又はカード型の拡張装置を追加することで拡張する場合に適しており、第２の表示処理は、装置が有するポート群をユニット型の拡張装置を追加することで拡張する場合に適している。
【００２２】
図４は、シャーシ型の拡張装置の例を示している。装置４０１は、標準のポート群を有するとともに、スロット４１１−１〜４１１−５を有し、各スロット４１１−ｉ（ｉ＝１〜５）には、シャーシ型の拡張装置４１２−ｉが装着される。各拡張装置４１２−ｉは、複数のポートを含み、１つのポート群に対応する。空きスロットに拡張装置４１２−ｉを装着することで、装置４０１のポートの個数を拡張することができる。スロットの個数は５個には限られない。
【００２３】
図５は、カード型の拡張装置の例を示している。装置５０１は、標準のポート群を有するとともに、スロット５１１−１〜５１１−３を有し、各スロット５１１−ｉ（ｉ＝１〜３）には、カード型の拡張装置５１２−ｉが装着される。各拡張装置５１２−ｉは、複数のポートを含み、１つのポート群に対応する。空きスロットに拡張装置５１２−ｉを装着することで、装置５０１のポートの個数を拡張することができる。スロットの個数は３個には限られない。
【００２４】
図６は、ユニット型の拡張装置の例を示している。装置６０１は主装置であり、装置６０２及び装置６０３は、ユニット型の拡張装置（ユニット装置）である。装置６０１〜装置６０３の各々は、複数のポートを含み、１つのポート群に対応する。各装置は、図４の装置４０１又は図５の装置５０１のような構成を有していてもよい。装置６０１に対して装置６０２及び装置６０３を接続することで、装置６０１のポートの個数を拡張することができる。装置６０１に対して接続される拡張装置の個数は、２個には限られない。
【００２５】
図７Ａ〜図７Ｃは、第１の表示処理及び第２の表示処理において、記憶部３１１が記憶する情報の例を示している。図７Ａの装置情報７０１は、通信ネットワーク内の各装置の情報であり、スロット情報７０２は、各装置が有するスロットの情報である。図７Ｂのポート情報７０３は、各スロットに装着された拡張装置が有するポートの情報であり、図７Ｃのユニット情報７０４は、各装置に接続されたユニット装置の情報である。
【００２６】
装置情報７０１は、装置番号、機種別、アイコン種別、アイコン表示位置情報、拡張ポート種別、登録ユニット数、ユニット情報、登録スロット数、スロット情報、ユニット展開有無、ポート展開有無、及びポート展開スロット番号を含む。
【００２７】
装置番号は、装置の識別情報であり、機種別は、装置がユニット装置であるか否かを表し、アイコン種別は、装置を示すシンボルに対応するアイコンの種別を表し、アイコン表示位置情報は、表示画面内におけるアイコンの表示位置を表す。ユニット装置のアイコン種別としては、そのユニット装置が接続されている主装置のアイコン種別を設定することができる。
【００２８】
拡張ポート種別は、装置のポートの個数を拡張する方法がシャーシ型、カード型、又はユニット型のいずれであるか、あるいは拡張なしであるかを表す。登録ユニット数は、装置に接続されているユニット装置の個数を表し、ユニット情報は、ユニット情報７０４を指すポインタを表す。登録スロット数は、拡張装置が装着されたスロットの個数を表し、スロット情報は、スロット情報７０２を指すポインタを表す。
【００２９】
ユニット展開有無は、装置に接続されているユニット装置を展開表示しているか否かを表す。ポート展開有無は、拡張装置が有するポート群を展開表示しているか否かを表し、ポート展開スロット番号は、展開表示されている拡張装置が装着されたスロットのスロット番号を表す。
【００３０】
スロット情報７０２は、スロット番号、スロット情報、ポート数、及びポート情報を含む。スロット番号は、スロットの識別情報であり、スロット情報は、スロットに装着された拡張装置の名称等を表す。ポート数は、スロットに装着された拡張装置が有するポート群のうち、使用されているポートの個数を表し、ポート情報は、ポート情報７０３を指すポインタを表す。スロット番号が０である場合、スロット情報７０２は、装置が有する標準のポート群に対応する。
【００３１】
ポート情報７０３は、ポート番号、ポート名、接続先装置、及び接続先ポートを含む。ポート番号は、ポートの識別情報であり、ポート名は、ポートの名称を表す。接続先装置は、ポートの接続先の装置の装置番号を表し、接続先ポートは、接続先装置が有する接続先のポートのポート番号を表す。
【００３２】
ユニット情報７０４は、ユニット番号及び装置番号を含む。ユニット番号は、ユニット装置の識別情報であり、装置番号は、ユニット装置に対応する装置番号を表す。装置情報７０１が示す装置がユニット装置である場合、その装置情報７０１が指すユニット情報７０４のユニット番号には０が設定され、装置番号には接続先の主装置の装置番号が設定される。
【００３３】
図８Ａ及び図８Ｂは、第１の表示処理におけるポート展開表示の例を示すフローチャートであり、図９は、第１の表示処理におけるスロット切り替えの例を示すフローチャートである。
【００３４】
図８Ａ及び図８Ｂのポート展開表示は、通信ネットワーク内の複数の装置を示す複数のアイコンが表示画面内に表示されている状態で開始される。まず、生成部３１２は、表示されている複数の装置の装置情報７０１を参照して、各装置の拡張ポート種別をチェックする（ステップ８０１）。すべての装置の拡張ポート種別がユニット型又は拡張なしである場合（ステップ８０１，ＮＯ）、生成部３１２は、処理を終了する。
【００３５】
いずれかの装置の拡張ポート種別がシャーシ型又はカード型である場合（ステップ８０１，ＹＥＳ）、生成部３１２は、その装置を示すアイコンを選択する指示を受け付けたか否かをチェックする（ステップ８０２）。生成部３１２は、例えば、アイコンの位置にカーソルを移動させるマウスオーバ等の操作が行われた場合、その操作を、アイコンを選択する指示として受け付けることができる。アイコンを選択する指示を受け付けない場合（ステップ８０２，ＮＯ）、生成部３１２は、処理を終了する。
【００３６】
アイコンを選択する指示を受け付けた場合（ステップ８０２，ＹＥＳ）、生成部３１２は、そのアイコンが示す装置が有するポートを展開表示するためのポート展開用釦を、選択されたアイコン上に表示する（ステップ８０３）。
【００３７】
次に、生成部３１２は、ポート展開用釦を指定する指示を受け付けたか否かをチェックする（ステップ８０４）。生成部３１２は、例えば、ポート展開用釦に対するクリック等の操作が行われた場合、その操作を、ポート展開用釦を指定する指示として受け付けることができる。ポート展開用釦を指定する指示を受け付けない場合（ステップ８０４，ＮＯ）、生成部３１２は、処理を終了する。
【００３８】
ポート展開用釦を指定する指示を受け付けた場合（ステップ８０４，ＹＥＳ）、生成部３１２は、選択されたアイコンが示す装置の装置情報７０１を参照して、登録スロット数が０であるか否かをチェックする（ステップ８０５）。登録スロット数が０である場合（ステップ８０５，ＹＥＳ）、生成部３１２は、その装置が有する標準のポート群を表示し（ステップ８０７）、処理を終了する。
【００３９】
登録スロット数が０でない場合（ステップ８０５，ＮＯ）、生成部３１２は、装置情報７０１のポート展開有無に展開表示ありを設定し、ポート展開スロット番号に０を設定する（ステップ８０６）。
【００４０】
次に、生成部３１２は、ポート展開スロット番号に対応するスロット情報７０２が指すポート情報を参照して、選択されたアイコンに隣接する位置に、標準のポート群に含まれる各ポートを示すシンボルを展開表示する（ステップ８１１）。また、生成部３１２は、スロット切り替え釦を表示する。スロット切り替え釦上には、例えば、ポート展開スロット番号が表示される。
【００４１】
次に、生成部３１２は、選択されたアイコンが示す装置の装置情報７０１が指す１つのスロット情報７０２のスロット番号を、処理スロット番号に設定し、処理スロット番号をポート展開スロット番号と比較する（ステップ８１２）。
【００４２】
処理スロット番号がポート展開スロット番号と一致する場合（ステップ８１２，ＹＥＳ）、生成部３１２は、処理スロット番号に対応するスロット情報７０２が指す、展開表示された１つのポートのポート情報７０３を参照する（ステップ８１３）。そして、生成部３１２は、そのポートを示すシンボルと、接続先装置又は接続先ポートを示すシンボルとを結ぶ線分を表示する。
【００４３】
次に、生成部３１２は、処理スロット番号に対応するスロット情報７０２のポート数分のポート情報７０３を処理したか否かをチェックする（ステップ８１４）。未処理のポート情報７０３が残っている場合（ステップ８１４，ＮＯ）、生成部３１２は、次のポート情報７０３についてステップ８１３以降の処理を繰り返す。
【００４４】
一方、処理スロット番号がポート展開スロット番号と一致しない場合（ステップ８１２，ＮＯ）、生成部３１２は、処理スロット番号に対応するスロット情報７０２が指す、展開表示されていない１つのポートのポート情報７０３を参照する（ステップ８１６）。そして、生成部３１２は、選択されたアイコンと、接続先装置又は接続先ポートを示すシンボルとを結ぶ線分を表示する。
【００４５】
このとき、生成部３１２は、選択されたアイコンと接続先を示すシンボルとを結ぶ線分を、各ポートを示すシンボルと接続先を示すシンボルとを結ぶ線分とは異なる属性で表示してもよい。線分の属性としては、線分の色、線分の太さ等を用いることができる。
【００４６】
次に、生成部３１２は、処理スロット番号に対応するスロット情報７０２のポート数分のポート情報７０３を処理したか否かをチェックする（ステップ８１７）。未処理のポート情報７０３が残っている場合（ステップ８１７，ＮＯ）、生成部３１２は、次のポート情報７０３についてステップ８１６以降の処理を繰り返す。
【００４７】
スロット情報７０２のポート数分のポートを処理した場合（ステップ８１４又はステップ８１７，ＹＥＳ）、生成部３１２は、装置情報７０１の登録スロット数分のスロット情報７０２を処理したか否かをチェックする（ステップ８１５）。未処理のスロット情報７０２が残っている場合（ステップ８１５，ＮＯ）、生成部３１２は、次のスロット情報７０２についてステップ８１２以降の処理を繰り返す。
【００４８】
そして、登録スロット数分のスロット情報７０２を処理した場合（ステップ８１５，ＹＥＳ）、生成部３１２は、処理を終了する。
【００４９】
図９のスロット切り替えは、標準のポート群又は拡張装置が有するポート群のポート展開表示が行われ、スロット切り替え釦が表示されている状態で開始される。まず、生成部３１２は、スロット切り替え釦を指定する指示を受け付けたか否かをチェックする（ステップ９０１）。
【００５０】
生成部３１２は、例えば、スロット切り替え釦に対するクリック等の操作が行われた場合、その操作を、スロット切り替え釦を指定する指示として受け付けることができる。スロット切り替え釦を指定する指示は、スロットを切り替えるためのスロットの一覧を表示する指示を表す。スロット切り替え釦を指定する指示を受け付けない場合（ステップ９０１，ＮＯ）、生成部３１２は、処理を終了する。
【００５１】
スロット切り替え釦を指定する指示を受け付けた場合（ステップ９０１，ＹＥＳ）、生成部３１２は、スロット切り替え釦とともに表示されているアイコンが示す装置の装置情報７０１が指すスロット情報７０２のスロット番号及びスロット情報を元にして、スロット切り替え釦の近傍に、選択可能なスロットの一覧を表示する（ステップ９０２）。スロットの一覧内には、例えば、選択可能なスロットのスロット番号及びスロット情報が表示される。
【００５２】
次に、生成部３１２は、スロットの一覧内から切り替え先のスロットを選択する指示を受け付けたか否かをチェックする（ステップ９０３）。生成部３１２は、例えば、表示されたスロットの一覧内の１つのスロット番号に対するクリック等の操作が行われた場合、その操作を、切り替え先のスロットを選択する指示として受け付けることができる。切り替え先のスロットを選択する指示は、ポート展開表示の対象となるスロットを変更する指示を表す。切り替え先のスロットを選択する指示を受け付けない場合（ステップ９０３，ＮＯ）、生成部３１２は、処理を終了する。
【００５３】
切り替え先のスロットを選択する指示を受け付けた場合（ステップ９０３，ＹＥＳ）、生成部３１２は、装置情報７０１のポート展開スロット番号に対応するスロットのポート展開表示を非表示にする（ステップ９０４）。これにより、そのスロットの各ポートのシンボルと線分とが非表示になる。
【００５４】
次に、生成部３１２は、切り替え先のスロットのスロット番号を、ポート展開スロット番号に設定して（ステップ９０５）、対応するポート群のポート展開表示を行う（ステップ９０６）。ステップ９０６では、図８Ｂのステップ８１１〜ステップ８１７と同様の処理が行われる。
【００５５】
図１０は、第１の表示処理によるポート展開表示の例を示している。図１０のアイコン１００１は、装置Ｂを示すシンボルに対応し、アイコン１００１に隣接する位置には、スロット切り替え釦１００７とシンボル１００２−１〜シンボル１００２−４とが表示されている。スロット切り替え釦１００７上のＳＬＯＴ１は、ポート展開スロット番号に対応し、ＳＳＳ１は、ＳＬＯＴ１のスロットに装着された拡張装置の名称に対応する。シンボル１００２−１〜シンボル１００２−４は、展開表示されたＳＬＯＴ１のスロットのポートを示すシンボルであり、００〜０３は、ポート番号に対応する。
【００５６】
ＳＬＯＴ１のポート展開表示が行われている状態で、スロット切り替え釦１００７が指定されると、スロットの一覧１００３が表示される。スロットの一覧１００３内には、ＳＬＯＴ１〜ＳＬＯＴ７の７個のスロットのスロット番号と拡張装置の名称とが表示されている。ＳＳＳ１〜ＳＳＳ７は、それぞれ、ＳＬＯＴ１〜ＳＬＯＴ７のスロットに装着された拡張装置の名称に対応する。
【００５７】
マーク１００４は、対応するスロットの拡張装置に障害が発生している状態を表す。マーク１００５は、対応するスロットの拡張装置に障害が発生しているが、障害表示を抑止するための設定が行われている状態を表している。
【００５８】
スロットの一覧１００３内のＳＬＯＴ３が切り替え先のスロットとして選択されると、ＳＬＯＴ１のポート展開表示からＳＬＯＴ３のポート展開表示へ切り替えられる。ＳＬＯＴ３のポート展開表示では、ＳＬＯＴ３のスロット番号と拡張装置の名称とが表示されるとともに、アイコン１００１に隣接する位置に、スロット切り替え釦１００８とシンボル１００６−１及びシンボル１００６−２が表示される。シンボル１００６−１及びシンボル１００６−２は、展開表示されたＳＬＯＴ３のスロットのポートを示すシンボルである。
【００５９】
このように、選択されたスロットに対応するポート群のみを展開表示することで、図１の場合と比較して、ポート表示が見やすくなる。
【００６０】
図１１は、ポート展開表示におけるリンク表示の例を示している。装置Ｂのポート展開表示が行われる前の状態では、装置Ｂが有する各ポートとその接続先との間の接続関係を示す線分は、アイコン１００１と各接続先との間に表示されている。この場合、アイコン１００１は、装置Ｂが有する複数のスロットのポート群に共通する共通シンボルとして表示される。
【００６１】
この状態でアイコン１００１が選択されると、アイコン１００１上にポート展開用釦１１０１が表示され、ポート展開用釦１１０１が指定されると、装置Ｂのポート展開表示が開始される。ポート展開表示においてＳＬＯＴ１が切り替え先のスロットとして選択されると、ＳＬＯＴ１のポート展開表示が行われ、アイコン１００１に隣接する位置に、スロット切り替え釦１００７とシンボル１００２−１〜シンボル１００２−４とが表示される。
【００６２】
次に、シンボル１００２−１〜シンボル１００２−４と、各ポートの接続先装置又は接続先ポートを示すシンボルとを結ぶ線分が表示される。また、ＳＬＯＴ１以外のスロットのポート群については、アイコン１００１と各ポートの接続先装置又は接続先ポートを示すシンボルとを結ぶ線分が表示される。アイコン１００１と接続先を示すシンボルとを結ぶ線分として、シンボル１００２−１〜シンボル１００２−４と接続先を示すシンボルとを結ぶ線分とは異なる色又は太さの線分を用いてもよい。
【００６３】
このように、選択されたスロットに対応するポート群とその接続関係のみを展開表示することで、図２の場合と比較して、リンク表示が見やすくなる。これにより、複数の装置のトポロジ表示が見やすくなり、ポートを意識した設定及びネットワーク監視が容易になる。
【００６４】
図１２Ａ及び図１２Ｂは、第２の表示処理におけるユニット展開表示の例を示すフローチャートであり、図１３Ａ及び図１３Ｂは、第２の表示処理におけるユニット収束表示の例を示すフローチャートである。
【００６５】
図１２Ａ及び図１２Ｂのユニット展開表示は、通信ネットワーク内の複数の装置を示す複数のアイコンが表示画面内に表示されている状態で開始される。まず、生成部３１２は、表示されている装置を示すアイコンを選択する指示を受け付けたか否かをチェックする（ステップ１２０１）。アイコンを選択する指示を受け付けない場合（ステップ１２０１，ＮＯ）、生成部３１２は、処理を終了する。
【００６６】
アイコンを選択する指示を受け付けた場合（ステップ１２０１，ＹＥＳ）、生成部３１２は、その装置の装置情報７０１を参照して拡張ポート種別をチェックする（ステップ１２０２）。拡張ポート種別がシャーシ型、カード型、又は拡張なしである場合（ステップ１２０２，ＮＯ）、生成部３１２は、処理を終了する。
【００６７】
拡張ポート種別がユニット型である場合（ステップ１２０２，ＹＥＳ）、生成部３１２は、選択されたアイコンが示す主装置に接続されたユニット装置を展開表示するためのユニット展開用釦を、選択されたアイコン上に表示する（ステップ１２０３）。
【００６８】
次に、生成部３１２は、ユニット展開用釦を指定する指示を受け付けたか否かをチェックする（ステップ１２０４）。ユニット展開用釦を指定する指示を受け付けない場合（ステップ１２０４，ＮＯ）、生成部３１２は、処理を終了する。
【００６９】
ユニット展開用釦を指定する指示を受け付けた場合（ステップ１２０４，ＹＥＳ）、生成部３１２は、選択されたアイコンが示す主装置の装置情報７０１を参照して、登録ユニット数が０であるか否かをチェックする（ステップ１２０５）。登録ユニット数が０である場合（ステップ１２０５，ＹＥＳ）、生成部３１２は、エラー処理を行う（ステップ１２０７）。
【００７０】
登録ユニット数が０でない場合（ステップ１２０５，ＮＯ）、生成部３１２は、装置情報７０１のユニット展開有無に展開表示ありを設定し（ステップ１２０６）、選択されたアイコンと接続先装置を示すアイコンとの間の線分を非表示にする（ステップ１２１１）。
【００７１】
次に、生成部３１２は、主装置の装置情報７０１が指す１つのユニット情報７０４の装置番号を取得する（ステップ１２１２）。そして、生成部３１２は、取得した装置番号に対応するユニット装置の装置情報７０１を参照して、アイコン表示位置情報が表す表示位置に、アイコン種別に対応するユニット装置のアイコンを表示する（ステップ１２１３）。
【００７２】
次に、生成部３１２は、ユニット装置の装置情報７０１が指す各スロットのスロット情報７０２を参照して、そのスロット情報７０２が指す各ポートのポート情報７０３を参照する（ステップ１２１４）。そして、生成部３１２は、ユニット装置のアイコンと、各ポートの接続先装置又は接続先ポートを示すシンボルとを結ぶ線分を表示する。
【００７３】
次に、生成部３１２は、主装置の装置情報７０１に記述された登録ユニット数分のユニット情報７０４を処理したか否かをチェックする（ステップ１２１５）。未処理のユニット情報７０４が残っている場合（ステップ１２１５，ＮＯ）、生成部３１２は、次のユニット情報７０４についてステップ１２１２以降の処理を繰り返す。
【００７４】
登録ユニット数分のユニット情報７０４を処理した場合（ステップ１２１５，ＹＥＳ）、生成部３１２は、主装置の装置情報７０１が指す各スロットのスロット情報７０２を参照して、そのスロット情報７０２が指す各ポートのポート情報７０３を参照する（ステップ１２１６）。そして、生成部３１２は、主装置のアイコンと、各ポートの接続先装置又は接続先ポートを示すシンボルとを結ぶ線分を表示する。
【００７５】
図１３Ａ及び図１３Ｂのユニット収束表示は、いずれかの装置のユニット展開表示が行われている状態で開始される。まず、生成部３１２は、表示されている装置を示すアイコンを選択する指示を受け付けたか否かをチェックする（ステップ１３０１）。アイコンを選択する指示を受け付けない場合（ステップ１３０１，ＮＯ）、生成部３１２は、処理を終了する。
【００７６】
アイコンを選択する指示を受け付けた場合（ステップ１３０１，ＹＥＳ）、生成部３１２は、その装置の装置情報７０１を参照して機種別をチェックする（ステップ１３０２）。
【００７７】
機種別がユニット装置である場合（ステップ１３０２，ＹＥＳ）、生成部３１２は、選択されたアイコンが示すユニット装置のユニット展開表示を収束するためのユニット収束用釦を、選択されたアイコン上に表示する（ステップ１３０３）。
【００７８】
機種別がユニット装置ではない場合（ステップ１３０２，ＮＯ）、生成部３１２は、その装置の装置情報７０１を参照して、登録ユニット数が０であるか否かをチェックする（ステップ１３０７）。登録ユニット数が０である場合（ステップ１３０７，ＹＥＳ）、生成部３１２は、処理を終了する。
【００７９】
登録ユニット数が０でない場合（ステップ１３０７，ＮＯ）、生成部３１２は、選択されたアイコンが示す主装置のユニット展開表示を収束するためのユニット収束用釦を、選択されたアイコン上に表示する（ステップ１３０３）。
【００８０】
次に、生成部３１２は、ユニット収束用釦を指定する指示を受け付けたか否かをチェックする（ステップ１３０４）。ユニット収束用釦を指定する指示を受け付けない場合（ステップ１３０４，ＮＯ）、生成部３１２は、処理を終了する。
【００８１】
ユニット収束用釦を指定する指示を受け付けた場合（ステップ１３０４，ＹＥＳ）、生成部３１２は、選択されたアイコンが示す装置の装置情報７０１を参照して、機種別をチェックする（ステップ１３０５）。
【００８２】
機種別がユニット装置である場合（ステップ１３０５，ＹＥＳ）、生成部３１２は、そのユニット装置の装置情報７０１が指すユニット情報７０４の装置番号を取得する（ステップ１３０６）。この場合、取得した装置番号は、ユニット装置が接続された主装置の装置番号である。
【００８３】
機種別がユニット装置ではない場合（ステップ１３０５，ＮＯ）、生成部３１２は、その装置の装置情報７０１を参照して、登録ユニット数が０であるか否かをチェックする（ステップ１３０８）。登録ユニット数が０である場合（ステップ１３０８，ＹＥＳ）、生成部３１２は、処理を終了する。登録ユニット数が０でない場合（ステップ１３０８，ＮＯ）、生成部３１２は、ステップ１３１１以降の処理を行う。
【００８４】
次に、生成部３１２は、選択されたアイコンが示す主装置、又はステップ１３０６で取得した装置番号に対応する主装置の装置情報７０１を参照して、ポート展開有無をチェックする（ステップ１３１１）。
【００８５】
ポート展開有無が展開表示ありに設定されている場合（ステップ１３１１，ＹＥＳ）、生成部３１２は、主装置のポート展開表示を非表示にする（ステップ１３１２）。これにより、展開表示されている各ポートのシンボルと、そのポートと接続先装置又は接続先ポートとの間の線分とが非表示になる。また、生成部３１２は、ポート展開有無を展開表示なしに設定する。
【００８６】
ポート展開有無が展開表示なしに設定されている場合（ステップ１３１１，ＮＯ）、生成部３１２は、主装置のアイコンと接続先装置又は接続先ポートとの間の線分を非表示にする（ステップ１３１９）。
【００８７】
次に、生成部３１２は、主装置の装置情報７０１が指す１つのユニット情報７０４の装置番号を取得する（ステップ１３１３）。そして、生成部３１２は、取得した装置番号に対応するユニット装置の装置情報７０１を参照して、アイコン表示位置情報が表す表示位置のユニット装置のアイコンを非表示にする（ステップ１３１４）。また、生成部３１２は、そのユニット装置のアイコンと、接続先装置又は接続先ポートとの間の線分を非表示にする。
【００８８】
次に、生成部３１２は、ユニット装置の装置情報７０１が指す各スロットのスロット情報７０２を参照して、そのスロット情報７０２が指す各ポートのポート情報７０３を参照する（ステップ１３１５）。そして、生成部３１２は、主装置のアイコンと、各ポートの接続先装置又は接続先ポートを示すシンボルとを結ぶ線分を表示する。ただし、接続先装置が主装置自身である場合は、生成部３１２は、線分を表示しない。
【００８９】
次に、生成部３１２は、主装置の装置情報７０１に記述された登録ユニット数分のユニット情報７０４を処理したか否かをチェックする（ステップ１３１６）。未処理のユニット情報７０４が残っている場合（ステップ１３１６，ＮＯ）、生成部３１２は、次のユニット情報７０４についてステップ１３１３以降の処理を繰り返す。
【００９０】
登録ユニット数分のユニット情報７０４を処理した場合（ステップ１３１６，ＹＥＳ）、生成部３１２は、主装置の装置情報７０１が指す各スロットのスロット情報７０２を参照して、そのスロット情報７０２が指す各ポートのポート情報７０３を参照する（ステップ１３１７）。そして、生成部３１２は、主装置のアイコンと、各ポートの接続先装置又は接続先ポートを示すシンボルとを結ぶ線分を表示する。ただし、接続先装置が主装置自身に接続されたユニット装置である場合は、生成部３１２は、線分を表示しない。
【００９１】
次に、生成部３１２は、主装置の装置情報７０１のユニット展開有無を展開表示なしに設定する（ステップ１３１８）。
【００９２】
図１４は、第２の表示処理によるユニット展開表示の例を示している。図１４のアイコン１４０１〜アイコン１４０５は、それぞれ、装置Ｃ〜装置Ｇを示すシンボルに対応し、装置Ｄを示すアイコン１４０２の左上隅の三角形のマーク１４１１は、装置Ｄにユニット装置が接続されていることを表す。
【００９３】
アイコン１４０２が選択されると、アイコン１４０２上にユニット展開用釦１４１２及びユニット収束用釦１４１３が表示される。ユニット展開用釦１４１２が指定されると、装置Ｄのユニット展開表示が行われて、装置Ｄに接続されたユニット装置Ｈを示すアイコン１４０６と、ユニット装置Ｉを示すアイコン１４０７とが表示される。アイコン１４０６及びアイコン１４０７の左上隅には、アイコン１４０２のマーク１４１１と共通するマークが表示される。このマーク１４１１は、装置情報７０１のアイコン種別に基づいて表示される。
【００９４】
このとき、アイコン１４０６とアイコン１４０２とを結ぶ線分、アイコン１４０６とアイコン１４０５とを結ぶ線分、アイコン１４０７とアイコン１４０２とを結ぶ線分、及びアイコン１４０７とアイコン１４０３とを結ぶ線分が表示される。アイコン１４０４はアイコン１４０２に接続されたままであるが、アイコン１４０３及びアイコン１４０５の接続先は、それぞれ、アイコン１４０７及びアイコン１４０６に変更される。
【００９５】
この状態で、再びアイコン１４０２が選択されると、アイコン１４０２上にユニット収束用釦１４１３及びポート展開用釦１４１４が表示される。ユニット収束用釦１４１３が指定されると、装置Ｄのユニット展開表示が解除されて、ユニット展開表示が行われる前の状態に戻る。
【００９６】
このように、選択された主装置に接続されたユニット装置のみを展開表示することで、主装置とユニット装置との接続関係を見やすく表示することができる。
【００９７】
図１５は、ユニット展開表示におけるポート展開表示の例を示している。ユニット展開表示におけるポート展開表示は、第１の表示処理と同様にして行われる。
【００９８】
図１４のポート展開用釦１４１４が指定されると、主装置Ｄのポート展開表示が行われて、アイコン１４０２に隣接する位置に、ポートを示すシンボル１５０１−１〜シンボル１５０１−６が表示される。そして、シンボル１５０１−１とアイコン１４０１とを結ぶ線分、シンボル１５０１−２とアイコン１４０４とを結ぶ線分、シンボル１５０１−３とアイコン１４０６とを結ぶ線分、及びシンボル１５０１−４とアイコン１４０７とを結ぶ線分が表示される。
【００９９】
さらに、ユニット装置Ｈのポート展開表示が行われた場合、アイコン１４０６に隣接する位置に、ポートを示すシンボル１５０２−１及びシンボル１５０２−２が表示される。そして、シンボル１５０２−１とシンボル１５０１−３とを結ぶ線分、及びシンボル１５０２−２とアイコン１４０５とを結ぶ線分が表示される。
【０１００】
さらに、ユニット装置Ｉのポート展開表示が行われた場合、アイコン１４０７に隣接する位置に、ポートを示すシンボル１５０３−１及びシンボル１５０３−２が表示される。そして、シンボル１５０３−１とシンボル１５０１−４とを結ぶ線分、及びシンボル１５０３−２とアイコン１４０３とを結ぶ線分が表示される。
【０１０１】
このように、選択された主装置又はユニット装置が有するポート群とその接続関係のみを展開表示することで、複数の装置のトポロジ表示が見やすくなり、ポートを意識した設定及びネットワーク監視が容易になる。
【０１０２】
図１４及び図１５のアイコン１４０１〜アイコン１４０７の色を変更することで、それぞれの装置の状態を区別して表示してもよい。装置の状態としては、正常、障害発生（応答なし）、障害発生（応答あり）等の状態が考えられる。
【０１０３】
図７Ａ〜図７Ｃの装置情報７０１、スロット情報７０２、ポート情報７０３、及びユニット情報７０４は一例に過ぎず、情報処理装置３０１の構成や条件に応じて一部の情報を省略又は変更してもよい。例えば、通信ネットワーク内のすべての装置の拡張ポート種別がシャーシ型又はカード型である場合は、装置情報７０１の拡張ポート種別、機種別、登録ユニット数、ユニット情報、及びユニット展開有無を省略することができる。この場合、ユニット情報７０４も省略することができる。
【０１０４】
通信ネットワーク内のすべての装置の拡張ポート種別がユニット型である場合は、装置情報７０１の拡張ポート種別を省略することができる。さらに、各装置が標準のポート群のみを有する場合は、登録スロット数及びポート展開スロット番号も省略することができる。
【０１０５】
図８Ａ、図８Ｂ、図９、図１２Ａ、図１２Ｂ、図１３Ａ、及び図１３Ｂのフローチャートは一例に過ぎず、情報処理装置３０１の構成や条件に応じて一部の処理を省略又は変更してもよい。例えば、通信ネットワーク内のすべての装置の拡張ポート種別がシャーシ型又はカード型である場合は、図８Ａのステップ８０１の処理を省略することができる。通信ネットワーク内のすべての装置の拡張ポート種別がユニット型である場合は、図１２Ａのステップ１２０２の処理を省略することができる。
【０１０６】
図８Ａのステップ８０２において、アイコンを選択する指示がポート展開指示を表す場合は、ステップ８０３及びステップ８０４の処理を省略することができる。図１２Ａのステップ１２０１において、アイコンを選択する指示がユニット展開指示を表す場合は、ステップ１２０３及びステップ１２０４の処理を省略することができる。図１３Ａのステップ１３０１において、アイコンを選択する指示がユニット収束指示を表す場合は、ステップ１３０３及びステップ１３０４の処理を省略することができる。
【０１０７】
図１０及び図１１のポート展開表示と図１４及び図１５のユニット展開表示は一例に過ぎず、情報処理装置３０１の構成や条件に応じて一部又は全部の表示を変更してもよい。例えば、図１０及び図１１のアイコン１００１の代わりに、他の形状のアイコン又はシンボルを用いてもよい。シンボル１００２−１〜シンボル１００２−４、シンボル１００６−１、及びシンボル１００６−２の代わりに、他の形状のシンボルを用いてもよい。
【０１０８】
図１０のスロット切り替え釦１００７及びスロット切り替え釦１００８の代わりに、他の形状の釦又は他のグラフィカルユーザインタフェース（ＧＵＩ）部品を用いてもよい。図１１のポート展開用釦１１０１の代わりに、他の形状の釦又は他のＧＵＩ部品を用いてもよい。図１０のスロットの一覧１００３内のマーク１００４及びマーク１００５の代わりに、他の形状のマークを用いてもよく、マーク１００４及びマーク１００５を他の位置に表示してもよい。
【０１０９】
図１１のリンク表示において、アイコン１００１とは別に共通シンボルを表示してもよい。この場合、ＳＬＯＴ１以外のスロットのポート群については、その共通シンボルと各ポートの接続先装置又は接続先ポートを示すシンボルとを結ぶ線分が表示される。
【０１１０】
図１４及び図１５のアイコン１４０１〜アイコン１４０７の代わりに、他の形状のアイコン又はシンボルを用いてもよい。シンボル１５０１−１〜シンボル１５０１−６、シンボル１５０２−１、シンボル１５０２−２、シンボル１５０３−１、及びシンボル１５０３−２の代わりに、他の形状のシンボルを用いてもよい。
【０１１１】
図１４のユニット展開用釦１４１２、ユニット収束用釦１４１３、及びポート展開用釦１４１４の代わりに、他の形状の釦又は他のＧＵＩ部品を用いてもよい。図１４のマーク１４１１の代わりに、他の形状のマークを用いてもよく、マーク１４１１を他の位置に表示してもよい。
【０１１２】
図３の情報処理装置３０１は、例えば、図１６に示すような情報処理装置（コンピュータ）を用いて実現可能である。
【０１１３】
図１６の情報処理装置は、Central Processing Unit（ＣＰＵ）１６０１、メモリ１６０２、入力装置１６０３、出力装置１６０４、補助記憶装置１６０５、媒体駆動装置１６０６、及びネットワーク接続装置１６０７を含む。これらの構成要素はバス１６０８により互いに接続されている。
【０１１４】
メモリ１６０２は、例えば、Read Only Memory（ＲＯＭ）、Random Access Memory（ＲＡＭ）、フラッシュメモリ等の半導体メモリである。メモリ１６０２は、第１の表示処理又は第２の表示処理のためのプログラム及びデータを格納する。メモリ１６０２は、図３の記憶部３１１として用いることができる。
【０１１５】
ＣＰＵ１６０１（プロセッサ）は、例えば、メモリ１６０２を利用してプログラムを実行することにより、図３の生成部３１２として動作し、第１の表示処理又は第２の表示処理を行う。
【０１１６】
入力装置１６０３は、例えば、キーボード、ポインティングデバイス等であり、ユーザ又はオペレータからの指示や情報の入力に用いられる。出力装置１６０４は、例えば、表示装置、プリンタ、スピーカ等であり、ユーザ又はオペレータへの問い合わせや処理結果の出力に用いられる。処理結果は、装置又はポートを示すシンボル、２つのシンボルを結ぶ線分等を含む表示画面の画像であってもよい。
【０１１７】
補助記憶装置１６０５は、例えば、磁気ディスク装置、光ディスク装置、光磁気ディスク装置、テープ装置等である。補助記憶装置１６０５は、ハードディスクドライブ又はフラッシュメモリであってもよい。情報処理装置は、補助記憶装置１６０５にプログラム及びデータを格納しておき、それらをメモリ１６０２にロードして使用することができる。補助記憶装置１６０５は、図３の記憶部３１１として用いることができる。
【０１１８】
媒体駆動装置１６０６は、可搬型記録媒体１６０９を駆動し、その記録内容にアクセスする。可搬型記録媒体１６０９は、メモリデバイス、フレキシブルディスク、光ディスク、光磁気ディスク等である。可搬型記録媒体１６０９は、Compact Disk Read Only Memory（ＣＤ−ＲＯＭ）、Digital Versatile Disk（ＤＶＤ）、Universal Serial Bus（ＵＳＢ）メモリ等であってもよい。ユーザ又はオペレータは、この可搬型記録媒体１６０９にプログラム及びデータを格納しておき、それらをメモリ１６０２にロードして使用することができる。
【０１１９】
このように、プログラム及びデータを格納するコンピュータ読み取り可能な記録媒体は、メモリ１６０２、補助記憶装置１６０５、及び可搬型記録媒体１６０９のような、物理的な（非一時的な）記録媒体である。
【０１２０】
ネットワーク接続装置１６０７は、Local Area Network（ＬＡＮ）、インターネット等の通信ネットワークに接続され、通信に伴うデータ変換を行う通信インタフェースである。情報処理装置は、ネットワーク接続装置１６０７を介して外部の装置からプログラム及びデータを受信し、それらをメモリ１６０２にロードして使用することができる。
【０１２１】
情報処理装置は、ネットワーク接続装置１６０７を介して、ユーザ端末から指示や情報を受信し、第１の表示処理又は第２の表示処理を行って、表示画面の画像を表示する表示データをユーザ端末へ送信することもできる。
【０１２２】
なお、情報処理装置が図１６のすべての構成要素を含む必要はなく、用途や条件に応じて一部の構成要素を省略することも可能である。例えば、情報処理装置がユーザ端末から通信ネットワーク経由で指示や情報を受信する場合は、入力装置１６０３及び出力装置１６０４を省略してもよい。情報処理装置が可搬型記録媒体１６０９又は通信ネットワークにアクセスしない場合は、媒体駆動装置１６０６又はネットワーク接続装置１６０７を省略してもよい。
【０１２３】
情報処理装置がスマートフォンのような通話機能を有する携帯端末である場合、マイク及びスピーカのような通話用の装置を含んでいてもよく、カメラのような撮像装置を含んでいてもよい。
【０１２４】
開示の実施形態とその利点について詳しく説明したが、当業者は、特許請求の範囲に明確に記載した本発明の範囲から逸脱することなく、様々な変更、追加、省略をすることができるであろう。
【０１２５】
図１乃至図１６を参照しながら説明した実施形態に関し、さらに以下の付記を開示する。
（付記１）
コンピュータが、
通信ネットワーク内の複数の装置のうち第１の装置を示す第１のシンボルを表示し、
前記第１の装置が有する複数のポート群のうち特定のポート群を表示する指示を受け付け、
前記第１のシンボルに隣接する位置に、前記特定のポート群に含まれる第１のポートを示す第２のシンボルを表示するとともに、前記第１のポートと前記複数の装置のうち第２の装置との間の接続関係を示す線分を表示する、
ことを特徴とする表示方法。
（付記２）
前記線分は、前記第２のシンボルと前記第１のポートの接続先を示す第３のシンボルとを結び、
前記コンピュータは、前記複数のポート群のうち前記特定のポート群以外の他のポート群に含まれる第２のポートと、前記第２のポートの接続先との間の接続関係を示す線分として、前記複数のポート群に共通する共通シンボルと、前記第２のポートの前記接続先を示す第４のシンボルとを結ぶ線分を表示することを特徴とする付記１記載の表示方法。
（付記３）
前記コンピュータは、さらに前記他のポート群を表示する指示を受け付けた場合、前記第２のシンボルと、前記第２のシンボルと前記第３のシンボルとを結ぶ前記線分とを非表示にして、前記第２のポートを示す第５のシンボルを表示し、前記第５のシンボルと前記第４のシンボルとを結ぶ線分を表示するとともに、前記共通シンボルと前記第３のシンボルとを結ぶ線分を表示することを特徴とする付記２記載の表示方法。
（付記４）
前記コンピュータは、前記共通シンボルと前記第４のシンボルとを結ぶ前記線分を、前記第２のシンボルと前記第３のシンボルとを結ぶ前記線分とは異なる属性で表示することを特徴とする付記２又は３記載の表示方法。
（付記５）
通信ネットワーク内の複数の装置のうち第１の装置が有する複数のポート群の情報を記憶する記憶部と、
前記複数のポート群のうち特定のポート群を表示する指示を受け付け、前記第１の装置を示す第１のシンボルに隣接する位置に、前記特定のポート群に含まれる第１のポートを示す第２のシンボルを表示するとともに、前記第１のポートと前記複数の装置のうち第２の装置との間の接続関係を示す線分を表示する、表示データを生成する生成部と、
を備えることを特徴とする情報処理装置。
（付記６）
通信ネットワーク内の複数の装置のうち第１の装置を示す第１のシンボルを表示し、
前記第１の装置が有する複数のポート群のうち特定のポート群を表示する指示を受け付け、
前記第１のシンボルに隣接する位置に、前記特定のポート群に含まれる第１のポートを示す第２のシンボルを表示するとともに、前記第１のポートと前記複数の装置のうち第２の装置との間の接続関係を示す線分を表示する、
処理をコンピュータに実行させる表示プログラム。
（付記７）
コンピュータが、
通信ネットワーク内の複数の装置のうち第１の装置を示す第１のシンボルと、第２の装置を示す第２のシンボルとを表示し、
前記第１のシンボルを選択する指示を受け付け、
前記複数の装置のうち前記第１の装置に接続された第３の装置が前記第１の装置を拡張する装置であることを示す情報を記憶部が記憶している場合、前記第３の装置を表示する指示を受け付け、
前記第１のシンボルと共通するマークを有し前記第３の装置を示す第３のシンボルを表示する、
ことを特徴とする表示方法。
（付記８）
前記コンピュータは、前記第１のシンボルと前記第３のシンボルとの間に、前記第１の装置と前記第３の装置とが接続されていることを示す線分を表示するとともに、前記第２の装置が前記第１の装置に接続されていることを示す情報を前記記憶部が記憶している場合、前記第１のシンボルと前記第２のシンボルとの間に、前記第１の装置と前記第２の装置とが接続されていることを示す線分を表示することを特徴とする付記７記載の表示方法。
（付記９）
前記第２の装置が前記第１の装置を拡張する装置であることを示す情報を前記記憶部が記憶していない場合、前記第２のシンボルは前記マークを有さないことを特徴とする付記７又は８記載の表示方法。
（付記１０）
前記コンピュータは、前記第１のシンボルの位置にカーソルを移動させる操作を、前記第１のシンボルを選択する前記指示として受け付け、前記第３の装置を表示するための釦を表示し、前記釦を指定する操作を、前記第３の装置を表示する前記指示として受け付け、前記第３のシンボルを表示することを特徴とする付記７乃至９のいずれか１項に記載の表示方法。
（付記１１）
通信ネットワーク内の複数の装置の情報を記憶する記憶部と、
前記複数の装置のうち第１の装置を示す第１のシンボルと、第２の装置を示す第２のシンボルとが表示されている状態で、前記第１のシンボルを選択する指示を受け付け、前記複数の装置のうち前記第１の装置に接続された第３の装置が前記第１の装置を拡張する装置であることを示す情報を前記記憶部が記憶している場合、前記第３の装置を表示する指示を受け付け、前記第１のシンボルと共通するマークを有し前記第３の装置を示す第３のシンボルを表示する表示データを生成する生成部と、
を備えることを特徴とする情報処理装置。
（付記１２）
通信ネットワーク内の複数の装置のうち第１の装置を示す第１のシンボルと、第２の装置を示す第２のシンボルとを表示し、
前記第１のシンボルを選択する指示を受け付け、
前記複数の装置のうち前記第１の装置に接続された第３の装置が前記第１の装置を拡張する装置であることを示す情報を記憶部が記憶している場合、前記第３の装置を表示する指示を受け付け、
前記第１のシンボルと共通するマークを有し前記第３の装置を示す第３のシンボルを表示する、
処理をコンピュータに実行させる表示プログラム。
【符号の説明】
【０１２６】
３０１  情報処理装置
３１１  記憶部
３１２  生成部
４０１、５０１、６０１〜６０３  装置
４１１−１〜４１１−５、５１１−１〜５１１−３  スロット
４１２−１〜４１２−５、５１２−１〜５１２−３  拡張装置
７０１  装置情報
７０２  スロット情報
７０３  ポート情報
７０４  ユニット情報
１００１、１４０１〜１４０７  アイコン
１００２−１〜１００２−４、１００６−１、１００６−２、１５０１−１〜１５０１−６、１５０２−１、１５０２−２、１５０３−１、１５０３−２  シンボル
１００３  スロットの一覧
１００４、１００５、１４１１  マーク
１００７、１００８  スロット切り替え釦
１１０１、１４１４  ポート展開用釦
１４１２  ユニット展開用釦
１４１３  ユニット収束用釦
１６０１  ＣＰＵ
１６０２  メモリ
１６０３  入力装置
１６０４  出力装置
１６０５  補助記憶装置
１６０６  媒体駆動装置
１６０７  ネットワーク接続装置
１６０８  バス
１６０９  可搬型記録媒体
【図１】
0006458604.tif 000002
【図２】
0006458604.tif 000003
【図３】
0006458604.tif 000004
【図４】
0006458604.tif 000005
【図５】
0006458604.tif 000006
【図６】
0006458604.tif 000007
【図７Ａ】
0006458604.tif 000008
【図７Ｂ】
0006458604.tif 000009
【図７Ｃ】
0006458604.tif 000010
【図８Ａ】
0006458604.tif 000011
【図８Ｂ】
0006458604.tif 000012
【図９】
0006458604.tif 000013
【図１０】
0006458604.tif 000014
【図１１】
0006458604.tif 000015
【図１２Ａ】
0006458604.tif 000016
【図１２Ｂ】
0006458604.tif 000017
【図１３Ａ】
0006458604.tif 000018
【図１３Ｂ】
0006458604.tif 000019
【図１４】
0006458604.tif 000020
【図１５】
0006458604.tif 000021
【図１６】
0006458604.tif 000022